【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
ビデオ信号合成装置であって、
該ビデオ信号合成装置にはビデオ信号処理ユニットおよびディスプレイユニットが含まれており、
前記ビデオ信号処理ユニットを構成して、
出力ビデオ画像ストリームの画像の画像エリアが２つの領域に分割され、
第１ビデオ画像ストリームから抽出した画像情報が第１領域）に適用され、第２入力ビデオ画像ストリームから抽出した画像情報が第２領域に適用されることによって、第１入力画像ストリームおよび第２入力画像ストリームから出力ビデオ画像ストリームが合成されるようにし、
前記のディスプレイユニットは、前記の入力および出力ビデオ画像ストリームのうちの少なくとも１つを表示するディプレイユニットであり、
前記ビデオ信号処理ユニットを構成して、ワイププロシージャの中間フェーズにて前記の合成された出力ビデオ画像ストリームが形成されるようにし、
ここで当該の中間フェーズの開始時に出力ビデオ画像ストリームは、前記の入力ビデオ画像ストリームのうちの１入力ビデオ画像ストリームと同じであり、
また中間フェーズの終了時に前記出力ビデオ画像ストリームは、前記の入力ビデオ入力画像のうちの別の１入力ビデオ画像ストリームと同じである形式のビデオ信号合成装置において、
前記のディスプレイユニットを構成して、ボーダが、前記のワイププロシージャの前の時点に前記の入力ビデオ画像ストリームのうちの１つから得られる画像にスーパーインポーズされて第１領域と第２領域との間に表示されるようにしたことを特徴とする、
ビデオ信号合成装置。
【請求項２】
前記のボーダは、第１領域と第２領域との間の線として表示される、
請求項１に記載の装置。
【請求項３】
前記のボーダは、第１領域および第２領域にて異なる値に設定された画像特性で表示され、
該画像特性は、明るさ、コントラストまたは彩度のいずれか１つである、
請求項１または２に記載の装置。
【請求項４】
さらに、前記の入力ビデオ画像ストリームのうちの１つを供給する少なくとも１つのカメラが含まれており、
前記ディスプレイユニットは当該カメラのビューファインダである、
請求項１から３までのいずれか１項に記載の装置。
【請求項５】
前記のカメラは、ワイププロシージャをトリガするための第１切換手段と、ディスプレイユニットに表示されるボーダを設定するための第２切換手段とを有する、
請求項４に記載の装置。
【請求項６】
第１入力ビデオ画像ストリームから第２入力ビデオ画像ストリームに出力ビデオ画像ストリームを切り換える方法であって、
該方法の準備フェーズにて、前記の出力ビデオ画像ストリームは、第１入力ビデオ画像ストリームと同じであり、
当該方法の中間フェーズにて、第１領域および第２領域を有する画像から出力ビデオ画像ストリームを形成し、
前記の出力ビデオ画像ストリームの与えられた画像の第１領域を定める画像情報を第１入力ビデオ画像ストリームから抽出し、これに対して前記出力画像の第２領域を定める画像情報を第２入力ビデオ画像ストリームから抽出し、
当該方法の最終フェーズにて、前記の出力ビデオ画像ストリームは、第２入力ビデオ画像ストリームと同じである形式の切換方法において、
前記の第１および第２入力ビデオ画像ストリームを準備フェーズにて、それぞれ第１および第２ビデオカメラによって形成し、
前記の準備フェーズにて、前記の入力ビデオ画像ストリームのうちの１つから得られる画像にスーパーインポーズして、ボーダを第１領域と第２領域との間に表示し、
当該のボーダを、第１入力ビデオ画像ストリームにスーパーインポーズして第１カメラのビューファインダに表示し、および／または第２入力ビデオ画像ストリームにスーパーインポーズして第２カメラのビューファインダに表示し、
前記の中間フェーズにて出力ビデオ画像ストリームを少なくとも１つのカメラに伝送して、そのビューファインダに表示することを特徴とする、
切換方法。
【請求項７】
前記の中間フェーズにてボーダを移動し、
前記の第１領域を犠牲にして第２領域のサイズを次第に増大させ、
該ボーダの移動を前記の準備フェーズにて表示する、
請求項６に記載の方法。
【請求項８】
前記の中間フェーズにて、前記の第１ビデオ画像ストリームおよび第２ビデオ画像ストリームのうちの少なくとも１つの画像内容をボーダと同期して移動する、
請求項７に記載の方法。
【請求項９】
前記の中間フェーズにて、前記の第１ビデオ画像ストリームおよび第２ビデオ画像ストリームのうちの少なくとも１つの画像内容は停止しているのに対し、ボーダを移動する、
請求項７または８に記載の方法。
【請求項１０】
前記の中間フェーズに進むためのコマンドおよび／または準備フェーズに進むためのコマンドを前記の複数のカメラのうちの１つにて入力する、
請求項９に記載の方法。
【手続補正２】
【補正対象書類名】明細書
【補正対象項目名】０００８
【補正方法】変更
【補正の内容】
【０００８】
上記の装置についての課題は、本発明の請求項１により、ビデオ信号合成装置であって、このビデオ信号合成装置にはビデオ信号処理ユニットおよびディスプレイユニットが含まれており、上記のビデオ信号処理ユニットを構成して、出力ビデオ画像ストリームの画像の画像エリアが２つの領域に分割され、第１ビデオ画像ストリームから抽出した画像情報が第１領域に適用され、第２入力ビデオ画像ストリームから抽出した画像情報が第２領域に適用されることによって、第１入力画像ストリームおよび第２入力画像ストリームから出力ビデオ画像ストリームが合成されるようにし、上記のディスプレイユニットは、上記の入力および出力ビデオ画像ストリームのうちの少なくとも１つを表示するディプレイユニットであり、上記ビデオ信号処理ユニットを構成して、ワイププロシージャの中間フェーズにて上記の合成された出力ビデオ画像ストリームが形成されるようにし、ここでこの中間フェーズの開始時に出力ビデオ画像ストリームは、上記の入力ビデオ画像ストリームのうちの１入力ビデオ画像ストリームと同じであり、また中間フェーズの終了時に上記出力ビデオ画像ストリームは、上記の入力ビデオ入力画像のうちの別の１入力ビデオ画像ストリームと同じである形式のビデオ信号合成装置において、上記のディスプレイユニットを構成して、ボーダが、上記のワイププロシージャの前の時点に上記の入力ビデオ画像ストリームのうちの１つから得られる画像にスーパーインポーズされて第１領域と第２領域との間に表示されるようにしたことを特徴とする、ビデオ信号合成装置によって解決される。
【手続補正３】
【補正対象書類名】明細書
【補正対象項目名】０００９
【補正方法】変更
【補正の内容】
【０００９】
また上記の方法についての課題は、本発明の請求項６により、第１入力ビデオ画像ストリームから第２入力ビデオ画像ストリームに出力ビデオ画像ストリームを切り換える方法であって、この方法の準備フェーズにて、上記の出力ビデオ画像ストリームは、第１入力ビデオ画像ストリームと同じであり、この方法の中間フェーズにて、第１領域および第２領域を有する画像から出力ビデオ画像ストリームを形成し、上記の出力ビデオ画像ストリームの与えられた画像の第１領域を定める画像情報を第１入力ビデオ画像ストリームから抽出し、これに対して上記出力画像の第２領域を定める画像情報を第２入力ビデオ画像ストリームから抽出し、この方法の最終フェーズにて、上記の出力ビデオ画像ストリームは、第２入力ビデオ画像ストリームと同じである形式の切換方法において、上記の第１および第２入力ビデオ画像ストリームを準備フェーズにて、それぞれ第１および第２ビデオカメラによって形成し、上記の準備フェーズにて、上記の入力ビデオ画像ストリームのうちの１つから得られる画像にスーパーインポーズして、ボーダを第１領域と第２領域との間に表示し、このボーダを、第１入力ビデオ画像ストリームにスーパーインポーズして第１カメラのビューファインダに表示し、および／または第２入力ビデオ画像ストリームにスーパーインポーズして第２カメラ）のビューファインダに表示し、上記の中間フェーズにて出力ビデオ画像ストリームを少なくとも１つのカメラに伝送して、そのビューファインダに表示することによって解決される。